(57)【要約】【課題】墨の増加量が二次有彩色の減少量と一致する場合の機器独立の色空間を示す色信号の色域と比べて、機器独立の色空間を示す色信号の低明度及び低彩度の色域を増加し、色の再現性を向上することができる画像処理装置及びプログラムを提供する。【解決手段】画像処理装置は、下方外郭部及び墨あり領域で、墨量（Ｋ）が増加するとＲが減少する関数で且つＫが最大値の半分以上である場合のＫの減少量に対するＲの増加量の割合が、Ｋが最大値の半分未満である場合のＫの減少量に対するＲの増加量の割合よりも小さく設定されている関数に従って、Ｒの値を算出する二次有彩色量算出部２８と、入力した画像記録信号のＫと、変換されたＬ*ａ*ｂ*の値と、算出された二次有彩色の値を使って、入力した画像記録信号に対応する画像記録信号の値を算出する出力色算出部２９とを備える。【選択図】図６
2013066019.tif 000002
【特許請求の範囲】
【請求項１】
入力機器に依存する色信号を墨、一次有彩色及び二次有彩色で再現される色信号に分解する画像処理装置であって、
前記墨、前記一次有彩色及び前記二次有彩色を含む、出力機器に依存する色信号から機器独立の色空間を示す色信号の色域を算出する第１算出手段と、
前記入力機器に依存する色信号から前記機器独立の色空間を示す色信号を再現する墨の値及び一次有彩色の値を算出する第２算出手段と、
前記算出された墨の値及び前記算出された一次有彩色の値に基づいて、前記機器独立の色空間を示す色信号の色域を墨を含む第１領域と、墨を含まない第２領域とに分割する分割手段と、
前記第１領域について、前記墨が増加すると前記二次有彩色が減少する関数で、且つ前記墨の値が前記墨の所定値以上である場合の前記墨の減少量に対する前記二次有彩色の増加量の割合が、前記墨の値が前記墨の所定値未満である場合の前記墨の減少量に対する前記二次有彩色の増加量の割合よりも小さく設定されている関数に従って、前記算出された墨の値に対応する二次有彩色の値を決定する決定手段と、
前記算出された墨の値と、前記決定された二次有彩色の値と、前記機器独立の色空間を示す色信号の値とを用いて、前記入力機器に依存する色信号に対応する墨、一次有彩色及び二次有彩色の組み合わせを算出する第３算出手段と
を備えることを特徴とする画像処理装置。
【請求項２】
前記決定手段で使用される関数は、前記墨の値が前記墨の最大値の半分以上である場合に、前記墨の値の１減少に対して０より大きく前記墨量の減少量の絶対値未満の範囲で前記二次有彩色を増加し、前記墨の値が墨の最大値の半分未満である場合に、前記墨の値の減少量と比例して前記二次有彩色の値を増加することを特徴とする請求項１に記載の画像処理装置。
【請求項３】
前記決定手段で決定される関数は、前記墨の最大値に墨色入力率を乗算する関数または前記二次色の最大値に二次有彩色入力率を乗算したものであり、前記二次有彩色入力率は、前記墨の値が前記墨の最大値の半分以上である場合は、前記墨の減少に応じて０より大きく前記墨量の減少量の絶対値未満の範囲で増加し、前記二次有彩色の増加量の割合が、前記墨の値が前記墨の最大値の半分未満である場合は、前記墨の減少量と比例して前記二次有彩色の値を増加することを特徴とする請求項１に記載の画像処理装置。
【請求項４】
前記第１領域は、前記墨を含み且つ前記色域の外郭である外郭部と、前記墨を含み且つ前記色域の内部の領域とを含むことを特徴とする請求項１乃至３のいずれか１項に記載の画像処理装置。
【請求項５】
前記二次有彩色は、前記出力機器に含まれる一次有彩色のトナー量のうち最も少ない色成分の補色の位置にある色であることを特徴とする請求項１乃至４のいずれか１項に記載の画像処理装置。
【請求項６】
入力機器に依存する色信号を墨、一次有彩色及び二次有彩色で再現される色信号に分解するコンピュータを、
前記墨、前記一次有彩色及び前記二次有彩色を含む、出力機器に依存する色信号から機器独立の色空間を示す色信号の色域を算出する第１算出手段、
前記入力機器に依存する色信号から前記機器独立の色空間を示す色信号を再現する墨の値及び一次有彩色の値を算出する第２算出手段、
前記算出された墨の値及び前記算出された一次有彩色の値に基づいて、前記機器独立の色空間を示す色信号の色域を墨を含む第１領域と、墨を含まない第２領域とに分割する分割手段、
前記第１領域について、前記墨が増加すると前記二次有彩色が減少する関数で、且つ前記墨の値が前記墨の所定値以上である場合の前記墨の減少量に対する前記二次有彩色の増加量の割合が、前記墨の値が前記墨の所定値未満である場合の前記墨の減少量に対する前記二次有彩色の増加量の割合よりも小さく設定されている関数に従って、前記算出された墨の値に対応する二次有彩色の値を決定する決定手段、及び
前記算出された墨の値と、前記決定された二次有彩色の値と、前記機器独立の色空間を示す色信号の値とを用いて、前記入力機器に依存する色信号に対応する墨、一次有彩色及び二次有彩色の組み合わせを算出する第３算出手段
として機能させることを特徴とするプログラム。
【発明の詳細な説明】
【技術分野】
【０００１】
本発明は、画像処理装置及びプログラムに関する。
【背景技術】
【０００２】
プリンタなどの出力装置により色の再現性は、出力装置が使用可能なインクの種類によって決まる。典型的には、３つの１次有彩色インク（例えば、シアン、マゼンタ、及びイエローのインク）を組みあわせることによって、入力された任意の色を用紙上に再現することができる。また、このような、各１次有彩色インクとは色相が異なる２次有彩色インクが用いられる場合もある。ここで、２次有彩色とは、２つの１次有彩色成分に分解できる色を意味する。
【０００３】
１次有彩色インク及び２次有彩色インクとを利用できる場合に、再現色（用紙上に再現される色）の明度に相関のある明度パラメータに応じて２次有彩色インクの使用量を調整する技術が知られている（例えば、特許文献１参照）。この技術では、再現色の明度が高くなるに従って、２次有彩色インクの使用量が減少する。
【０００４】
また、１次有彩色インク及び２次有彩色インクとを利用できる場合に、再現色の明度に相関のある彩度パラメータに応じて２次有彩色インクの使用量を調整する技術が知られている（例えば、特許文献２参照）。この技術では、再現色の彩度が低くなるに従って、２次有彩色インクの使用量が減少する。
【０００５】
また、ＲＧＢデータをＣＭＹＫＲＧＢデータに色変換する技術が知られている（例えば、特許文献３参照）。この技術では、白W(R, G, B)=(255, 255, 255)からシアンC(R, G, B)=(0, 255, 255)の高明度域は、シアンCの記録剤のみを使用し、その使用量を変えて色再現する。次に、シアンC(R, G, B)=(0, 255, 255)からブラックK(R, G, B)=(0, 0, 0)の明度域は、まず、シアンCの隣接色であるブルーBおよびグリーンGの記録剤を加えて明度を低下させ、色再現する。そして、記録剤の総使用量が制限値に達すると、シアンCの記録剤の使用量を減じて、ブルーBおよびグリーンGの記録剤の使用量を増加する。さらに、グリーンGおよびブルーBの混色が再現可能な最高彩度に達すると、シアンCに代えて黒Kを加え、さらに明度を低下させて黒Kの近傍を色再現する。
【先行技術文献】
【特許文献】
【０００６】
【特許文献１】特開２００４−２３７６１７号公報
【０００７】
【特許文献２】特開２００４−２６２０２７号公報
【０００８】
【特許文献３】特開２００７−６０１５１号公報
【発明の概要】
【発明が解決しようとする課題】
【０００９】
本発明の目的は、墨の増加量が二次有彩色の減少量と一致する場合の機器独立の色空間を示す色信号の色域と比べて、機器独立の色空間を示す色信号の低明度及び低彩度の色域を増加し、色の再現性を向上することができる画像処理装置及びプログラムを提供することにある。
【課題を解決するための手段】
【００１０】
上記目的を達成するため、請求項１の画像処理装置は、入力機器に依存する色信号を墨、一次有彩色及び二次有彩色で再現される色信号に分解する画像処理装置であって、前記墨、前記一次有彩色及び前記二次有彩色を含む、出力機器に依存する色信号から機器独立の色空間を示す色信号の色域を算出する第１算出手段と、前記入力機器に依存する色信号から前記機器独立の色空間を示す色信号を再現する墨の値及び一次有彩色の値を算出する第２算出手段と、前記算出された墨の値及び前記算出された一次有彩色の値に基づいて、前記機器独立の色空間を示す色信号の色域を墨を含む第１領域と、墨を含まない第２領域とに分割する分割手段と、前記第１領域について、前記墨が増加すると前記二次有彩色が減少する関数で、且つ前記墨の値が前記墨の所定値以上である場合の前記墨の減少量に対する前記二次有彩色の増加量の割合が、前記墨の値が前記墨の所定値未満である場合の前記墨の減少量に対する前記二次有彩色の増加量の割合よりも小さく設定されている関数に従って、前記算出された墨の値に対応する二次有彩色の値を決定する決定手段と、前記算出された墨の値と、前記決定された二次有彩色の値と、前記機器独立の色空間を示す色信号の値とを用いて、前記入力機器に依存する色信号に対応する墨、一次有彩色及び二次有彩色の組み合わせを算出する第３算出手段とを備えることを特徴とする。
【００１１】
請求項２の画像処理装置は、請求項１に記載の画像処理装置において、前記決定手段で使用される関数は、前記墨の値が前記墨の最大値の半分以上である場合に、前記墨の値の１減少に対して０より大きく前記墨量の減少量の絶対値未満の範囲で前記二次有彩色を増加し、前記墨の値が墨の最大値の半分未満である場合に、前記墨の値の減少量と比例して前記二次有彩色の値を増加することを特徴とする。
【００１２】
請求項３の画像処理装置は、請求項１に記載の画像処理装置において、前記決定手段で決定される関数は、前記墨の最大値に墨色入力率を乗算する関数または前記二次色の最大値に二次有彩色入力率を乗算したものであり、前記二次有彩色入力率は、前記墨の値が前記墨の最大値の半分以上である場合は、前記墨の減少に応じて０より大きく前記墨量の減少量の絶対値未満の範囲で増加し、前記二次有彩色の増加量の割合が、前記墨の値が前記墨の最大値の半分未満である場合は、前記墨の減少量と比例して前記二次有彩色の値を増加することを特徴とする。
【００１３】
請求項４の画像処理装置は、請求項１乃至３のいずれか１項に記載の画像処理装置において、前記第１領域は、前記墨を含み且つ前記色域の外郭である外郭部と、前記墨を含み且つ前記色域の内部の領域とを含むことを特徴とする。
【００１４】
請求項５の画像処理装置は、請求項１乃至４のいずれか１項に記載の画像処理装置において、前記二次有彩色は、前記出力機器に含まれる一次有彩色のトナー量のうち最も少ない色成分の補色の位置にある色であることを特徴とする。
【００１５】
請求項６のプログラムは、入力機器に依存する色信号を墨、一次有彩色及び二次有彩色で再現される色信号に分解するコンピュータを、前記墨、前記一次有彩色及び前記二次有彩色を含む、出力機器に依存する色信号から機器独立の色空間を示す色信号の色域を算出する第１算出手段、前記入力機器に依存する色信号から前記機器独立の色空間を示す色信号を再現する墨の値及び一次有彩色の値を算出する第２算出手段、前記算出された墨の値及び前記算出された一次有彩色の値に基づいて、前記機器独立の色空間を示す色信号の色域を墨を含む第１領域と、墨を含まない第２領域とに分割する分割手段、前記第１領域について、前記墨が増加すると前記二次有彩色が減少する関数で、且つ前記墨の値が前記墨の所定値以上である場合の前記墨の減少量に対する前記二次有彩色の増加量の割合が、前記墨の値が前記墨の所定値未満である場合の前記墨の減少量に対する前記二次有彩色の増加量の割合よりも小さく設定されている関数に従って、前記算出された墨の値に対応する二次有彩色の値を決定する決定手段、及び前記算出された墨の値と、前記決定された二次有彩色の値と、前記機器独立の色空間を示す色信号の値とを用いて、前記入力機器に依存する色信号に対応する墨、一次有彩色及び二次有彩色の組み合わせを算出する第３算出手段として機能させることを特徴とする。
【発明の効果】
【００１６】
請求項１の発明によれば、墨の増加量が二次有彩色の減少量と一致する場合の機器独立の色空間を示す色信号の色域と比べて、機器独立の色空間を示す色信号の低明度及び低彩度の色域を増加し、色の再現性を向上することができる。
【００１７】
請求項２の発明によれば、墨の増加量が二次有彩色の減少量と一致する場合の機器独立の色空間を示す色信号の色域と比べて、機器独立の色空間を示す色信号の低明度及び低彩度の色域を増加することができる。
【００１８】
請求項３の発明によれば、墨の増加量が二次有彩色の減少量と一致する場合の機器独立の色空間を示す色信号の色域と比べて、機器独立の色空間を示す色信号
の低明度及び低彩度の色域を増加することができる。
【００１９】
請求項４の発明によれば、墨の増加量が二次有彩色の減少量と一致する場合の機器独立の色空間を示す色信号の色域と比べて、機器独立の色空間を示す色信号の低明度及び低彩度の色域を増加し、色の再現性を向上することができる。      
【００２０】
請求項５の発明によれば、出力機器に含まれる一次有彩色のトナーの残量が平均化されやすくなる。
【００２１】
請求項６の発明によれば、墨の増加量が二次有彩色の減少量と一致する場合の機器独立の色空間を示す色信号の色域と比べて、機器独立の色空間を示す色信号の低明度及び低彩度の色域を増加し、色の再現性を向上することができる。
【図面の簡単な説明】
【００２２】
【図１】本実施の形態にかかる画像処理装置を用いたＤＴＰ（Desktop publishing）システムの一例を示すブロック図である。
【図２】画像処理装置３で実行される処理を示すフローチャートである。
【図３】色変換プロファイル作成部１６の概略構成図である。
【図４】（Ａ）は、３つの領域に分割されたＬ*ａ*ｂ*色信号の色域の概念図である。（Ｂ）は、５つの領域に分割されたＬ*ａ*ｂ*色信号の色域の概念図である。
【図５】ルックアップテーブル又はＩＣＣプロファイルを作成する処理を示すフローチャートである。
【図６】（Ａ）は、Ｋの値とＲの初期値との関係を示す図であり、（Ｂ）〜（Ｄ）は、Ｋの値とＲの値との関係を示す図である。
【発明を実施するための形態】
【００２３】
以下、図面を参照しながら本発明の実施の形態を説明する。
【００２４】
以下の説明では、１次有彩色は、例えば、シアン、マゼンタ、及びイエロー（ＣＭＹ）であり、２次有彩色は、２つの１次有彩色成分に分解できる色を意味し、例えば、赤、緑、及び青（ＲＧＢ）である。
【００２５】
図１は、本実施の形態にかかる画像処理装置を用いたＤＴＰ（Desktop publishing）システムの一例を示すブロック図である。
【００２６】
図１のＤＴＰシステム１は、原稿編集装置２、画像処理装置３、及び画像出力装置４を備えている。画像出力装置４は、例えば印刷機である。原稿編集装置２は、電子的な印刷原稿を作成する装置であり、ページ記述言語やラスターイメージデータの電子原稿データを画像処理装置３に出力する。具体的には、原稿編集装置は、ＤＴＰアプリケーションを搭載した汎用のコンピュータ（例えば、パーソナルコンピュータ）又は原稿編集用のコンピュータである。
【００２７】
原稿編集装置２として汎用のコンピュータが使用される場合は、ユーザは各種のＤＴＰソフトウェアを用いて電子原稿を編集する。作成された電子原稿は、例えばＰｏｓｔＳｃｒｉｐｔ（登録商標）プリンタドライバによりページ記述言語であるＰｏｓｔＳｃｒｉｐｔ（登録商標）に変換され、画像処理装置３に出力される。ページ記述言語は、ＰｏｓｔＳｃｒｉｐｔ（登録商標）に限られるものではない。
【００２８】
原稿編集装置２として専用のコンピュータを使用する場合は、ユーザはＣｏｌｏｒ Ｅｌｅｃｔｒｉｃ Ｐｒｅｐｒｅｓｓ Ｓｙｓｔｅｍ（以下ＣＥＰＳという）と呼ばれる専用のワークステーションとアプリケーションにより電子原稿を編集する。作成された電子原稿は、例えば、ＴＩＦＦ／ＩＴフォーマットのラスター情報として、画像処理装置３に出力される。
【００２９】
電子原稿の色は、ＣＭＹＫ色信号（シアン、マゼンタ、イエロー及びブラック）を用いて、指定される。また、色再現性の拡大のためＨｉＦｉカラー印刷と呼ばれる５色以上のインクを用いた印刷技術が存在する。ＨｉＦｉカラー印刷の場合、電子原稿は、ＣＭＹＫ色信号に、特色としてレッド、グリーンおよびブルーを１色ないし３色を加えた合計５色ないし７色の色信号を用いて、表される。また、近年色再現性の拡大により画質向上を狙ったＨｉＦｉカラー印刷と呼ばれる５色以上のインクを用いた印刷技術が存在するが、その場合は通常、特色としてレッド、グリーンおよびブルーを１色ないし３色加えた５色ないし７色の色信号を用いて電子原稿を表現する。特色については、ＤＴＰソフトウェア上に色見本ごとに測色値が定義されており、Ｐａｎｔｏｎｅ社などのメーカと色見本の番号を電子原稿上で指定することにより、Ｌ* ａ* ｂ* 色信号などの測色値で色が指定される。
【００３０】
画像処理装置３は、通信部１１、フォーマット変換部１２、ラスタライズ部１３、色変換部１４、通信部１５、色変換プロファイル作成部１６、及び色変換プロファイル記憶部１７を備えている。画像処理装置３は、例えば、コンピュータであり、ＣＰＵ、ＲＯＭ、ＲＡＭ、ハードディスク、及びネットワークインターフェースなどを備えている。画像処理装置３は、原稿編集装置２から入力されたコード情報やラスター情報の電子原稿を、画像出力装置４で出力可能な形式に変換して画像出力装置４に出力する。
【００３１】
原稿編集装置２から送信されるＣＭＹＫ等の色信号で指定された電子原稿は、通信部１１によってネットワークを通じて受信され、フォーマット変換部１２及びラスタライズ部１３に転送される。ページ記述言語は、ラスタライズ部１３によって画像出力装置４で出力可能なラスター形式の画像データに変換されると同時に、色変換処理が行われ、機器独立の色空間であるＬ* ａ* ｂ* 色信号に変換される。ＴＩＦＦ／ＩＴのようなラスター形式の画像データはフォーマット変換部１２によって解像度変換及びフォーマット変換の処理が実行され、画像出力装置４で出力可能なラスター形式の画像データに変換されると同時に、色変換処理が行われ、機器独立の色空間であるＬ* ａ* ｂ* 色信号に変換される。
【００３２】
色変換プロファイル作成部１６は、機器に依存しないＬ* ａ* ｂ* 色信号を画像出力装置４の色空間の画像記録信号（例えばＣＭＹＫＲ）に変換するためのルックアップテーブル（ＬＵＴ）又はＩＣＣ（International Color Consortium）プロファイルを作成する。色変換プロファイル作成部１６の詳細な構成については、後述する。色変換プロファイル記憶部１７は、色変換プロファイル作成部１６で作成されたルックアップテーブル又はＩＣＣプロファイルを記憶する。尚、画像記録信号は色を有する色信号である。
【００３３】
色変換部１４は、色変換プロファイル記憶部１７に記憶されたルックアップテーブル又はＩＣＣプロファイルに基づいて、ラスタライズ部１３及びフォーマット変換部１２から転送されるＬ* ａ* ｂ* 色信号を画像出力装置４の画像記録信号に変換する。この画像記録信号はＣＭＹＫ及びＲＧＢの１つ以上の特色を含む５つ以上の色で構成されている。以下の説明では、特色の具体例として赤（Ｒ）を想定する。つまり、Ｌ* ａ* ｂ* 色信号は、ＣＭＹＫ及びＲ（ＣＭＹＫＲ）を用いた５色の画像記録信号に変換されるものとする。もちろん、使用する特色は赤（Ｒ）に限定されるものではなく、緑（Ｇ）や青（Ｂ）でもよい。
【００３４】
色変換部１４で色変換された画像記録信号は通信部１５に転送される。通信部１５は、画像記録信号を蓄積し、適宜画像出力装置４に転送する。つまり、通信部１５は、画像処理装置３と画像出力装置４との処理速度の違いを吸収する。そして、画像出力装置４は、ＣＭＹＫＲ５色のラスター形式の画像記録信号に従って、用紙上に画像を形成する。
【００３５】
ここで、ラスタライズ部１３及びフォーマット変換部１２によるＣＭＹＫ色信号からＬ* ａ* ｂ* 色信号への色変換処理は、公知のＩＣＣ（International Color Consortium）の仕様に基づくＣＭＳ（Color Management System）により実現することが可能である。さらに、色変換部１４は、入力される色信号がＬ* ａ* ｂ* 色信号に限定されるものではなく、ＸＹＺ等の表色系座標上の機器独立の色空間を示す色信号でもよい。
【００３６】
また、画像出力装置４は、５色以上の色信号で画像を記録する装置であれば、印刷機に限定されない。例えば、画像出力装置４は、インクジェット方式又は電子写真方式のカラープリンタ、若しくは熱転写方式又は銀塩写真方式などのカラー画像出力装置でもよい。
【００３７】
図２は、画像処理装置３で実行される処理を示すフローチャートである。
【００３８】
まず、画像出力装置４が、出力機器に依存する画像記録信号（例えばＣＭＹＫＲＧＢ）を示すサンプルを印刷する（ステップＳ１）。次に、不図示の測色計が印刷したサンプルの色を測定する（ステップＳ２）。
【００３９】
色変換プロファイル作成部１６は、測定されたサンプルの色、即ち、画像出力装置４に依存する画像記録信号（例えばＣＭＹＫＲＧＢ）と機器独立の色空間を示す色信号（例えばＬ* ａ* ｂ* 色信号）との対応関係を設定する（ステップＳ３）。
【００４０】
その後、色変換プロファイル作成部１６は、入力機器（原稿編集装置２）に依存する画像記録信号（例えばＣＭＹＫ）と、機器独立の色空間を示す色信号（例えばＬ* ａ* ｂ* 色信号）との対応関係を調整し、入力機器に依存する画像記録信号（例えばＣＭＹＫ）に対応する出力機器に依存する画像記録信号（例えばＣＭＹＫＲＧＢ）を規定するルックアップテーブル又はＩＣＣプロファイルを作成する（ステップＳ４）。
【００４１】
色変換プロファイル作成部１６は、作成したルックアップテーブルを色変換プロファイル記憶部１７に保存する又は作成したＩＣＣプロファイルを不図示のプリントサーバに保存する（ステップＳ５）。尚、作成したＩＣＣプロファイルを不図示のプリントサーバに保存する場合には、画像処理装置３は色変換処理を実行する前に、ＩＣＣプロファイルを当該プリントサーバから読み出し、色変換プロファイル記憶部１７に保存する。
【００４２】
色変換部１４は、ルックアップテーブル又はＩＣＣプロファイルを用いて、入力機器（原稿編集装置２）に依存する画像記録信号（例えばＣＭＹＫ）を出力機器に依存する画像記録信号（例えばＣＭＹＫＲＧＢ）に色変換して、画像出力装置４に出力する（ステップＳ６）。
【００４３】
図３は、色変換プロファイル作成部１６の概略構成図である。色変換プロファイル作成部１６は、例えば、制御プログラムを実行するＣＰＵにより実現される。
【００４４】
色変換プロファイル作成部１６は、第１色変換条件作成部２１（第１算出手段）、色域変換条件作成部２２（第１算出手段）、及び第２色変換条件作成部２３を備えている。色域変換条件作成部２２は、色域外郭算出部２４及び色域マッピング部２５を備えている。第２色変換条件作成部２３は、墨量算出部２６（第２算出手段）、領域判定部２７（分割手段）、二次有彩色量算出部２８（決定手段）、及び出力色算出部２９（第２算出手段及び第３算出手段）を備えている。
【００４５】
第１色変換条件作成部２１は、機器に依存する画像記録信号（例えばＣＭＹＫ，ＣＭＹＫＲＧＢ）を機器独立の色空間を示す色信号（例えばＬ* ａ* ｂ* 色信号）に変換する処理を行う。
【００４６】
色域外郭算出部２４は、サンプルの印刷時に出力した画像記録信号（例えばＣＭＹＫＲＧＢ）と測色計で測定された値とに基づいて、Ｌ*ａ*ｂ*色信号の色域の外郭を算出する。具体的には、色域外郭算出部２４は、Ｌ*ａ*ｂ*の色空間上で同一明度における最も高彩度の色データを順次つなぎ合わせることで色域の外郭を算出する。
【００４７】
Ｌ*ａ*ｂ*色信号の色域の外郭を算出する場合には、以下の方法を用いてもよい。例えば、第１色変換条件作成部２１が、予めＣＭＹＫＲのうちの特色Ｒと、特色Ｒの補色Ｃを抜いたＭＹＫの３色との合計４色（ＭＹＫＲ）の組み合わせを、Ｌ*ａ*ｂ*色信号に変換し、色域外郭算出部２４が、Ｌ*ａ*ｂ*色信号の色域の外郭を算出する。同様の方法で、色域外郭算出部２４が、ＣＹＫＧの組み合わせ及びＣＭＫＢの組み合わせに対するＬ*ａ*ｂ*色信号の色域の外郭を算出する。そして、色域外郭算出部２４が、算出された３つの色域の外郭が重ね合わさった部分を、最終的なＬ*ａ*ｂ*色信号の色域の外郭と設定してもよい。
【００４８】
色域マッピング部２５は、出力機器で出力できないＬ*ａ*ｂ*色信号の色域を出力機器で出力可能なＬ*ａ*ｂ*色信号の色域へマッピングする。本発明に係る実施の形態の一例として、色域マッピング部２５は、出力機器で出力できないＬ*ａ*ｂ*色信号と出力機器で出力可能なＬ*ａ*ｂ*色信号との色差が最小となるように、マッピングを行う。また、出力機器で出力できないＬ*ａ*ｂ*色信号については、明度を維持するよう出力可能なＬ*ａ*ｂ*色信号へとマッピングしてもよいし、彩度を維持するように出力可能なＬ*ａ*ｂ*色信号へとマッピングしてもよい。
【００４９】
墨量算出部２６は、入力機器に依存する画像記録信号からＬ*ａ*ｂ*色信号を再現する墨量（Ｋ）を算出する。具体的には、墨量算出部２６は、下記の数式（１）〜（４）のいずれかによって墨量を算出する。
K = Min K + (Max K - Min K) * 墨入れ関数    （１）
K = Max K * 墨入れ関数    （２）
K = Max K     （３）
K = Min K     （４）
【００５０】
ここで、墨量算出部２６は、Ｌ*ａ*ｂ*色信号を再現するＣＭＹＫのうち、最もＫの少ないＣＭＹＫを探索することでMin Kを決定する。また、墨量算出部２６は、Ｌ*ａ*ｂ*色信号を再現するＣＭＹＫのうち、最もＫの多いＣＭＹＫを探索することでMax Kを決定する。具体的には、墨量算出部２６は、Ｌ*ａ*ｂ*の値とＫの値をニューラルネットワークの関数に代入してＣＭＹを計算し、ＣＭＹの値が０〜１００の範囲に収まる解の中で、Ｋの最大値（Max K）と最小値（Min K）を決定する。尚、ニューラルネットワークの関数を用いてＣＭＹを計算する方法は、従来より知られている（例えば、特開２００４−１９４０４２号公報参照）。また、回帰分析の関数を用いてＬ*ａ*ｂ*の値からＣＭＹを計算してもよい。回帰分析の関数を用いてＣＭＹを計算する方法は、従来より知られている（例えば、特開２００２−８４４３４号公報参照）。また、墨入れ関数は０〜１の範囲で決定され、Ｌ*（明度）が大きくなるほど小さくなり、ａ*ｂ*（彩度）が大きくなるほど小さくなるように決定される。
【００５１】
本発明に係る実施の形態の一例として、領域判定部２７は、色域外郭算出部２４で算出されたＬ*ａ*ｂ*色信号の色域を墨量算出部２６で算出された墨量及び出力色算出部２９で算出されたＣＭＹ値に基づいて３つの領域に分割する。Ｌ*ａ*ｂ*色信号の色域は、墨量（K成分）の有無に基づいて、図４（Ａ）に示ように墨無し領域３４、及び墨あり領域３５、下方外郭部３１（図４（Ａ）の一点鎖線）の領域に分割される。下方外郭部３１は、L*a*b*色信号の色域の外郭のうち、K成分を含む外郭であり、及び墨あり領域３５はＫ成分を含む領域である。墨無し領域３４はＫ成分を含まない領域である。尚、図４（Ａ）は、３つの領域に分割されたＬ*ａ*ｂ*色信号の色域の概念図である。また、上記の分割方法とは異なる一例として、領域判定部２７は、色域外郭算出部２４で算出されたＬ*ａ*ｂ*色信号の色域を墨量算出部２６で算出された墨量及び出力色算出部２９で算出されたＣＭＹ値に基づいて、図４（Ｂ）に示すように、Ｋ成分を含む下方外郭部３１（図４（Ｂ）の一点鎖線）、Ｋ成分を含まない上方外郭部３２（図４（Ｂ）の点線）、彩度が０である墨あり領域３５に隣接する部分はＫ成分を含み、それ以外の部分はＫ成分を含まないグレイ軸３３（図４（Ｂ）の太線）、Ｋ成分を含まない墨無し領域３４、及びＫ成分を含む墨あり領域３５の５つの領域に分割を行ってもよい。尚、図４（Ｂ）は、５つの領域に分割されたＬ*ａ*ｂ*色信号の色域の概念図である。
【００５２】
図３に戻り、二次有彩色量算出部２８は、各領域に応じて、使用する二次有彩色（ＲＧＢ）の量を算出する、即ち、使用する二次有彩色の初期値と使用する二次有彩色の増加又は減少の探索方向を決定する。二次有彩色量算出部２８は、出力機器に含まれるＣ成分、Ｍ成分及びＹ成分のトナー量に基づいて二次有彩色ＲＧＢのうちの追加する色を決定する。例えば、二次有彩色量算出部２８は、出力機器に含まれるＣ成分、Ｍ成分及びＹ成分のトナーのうち最も少ない色成分の補色の位置にある二次有彩色を追加する。これにより、出力機器に含まれるＣ成分、Ｍ成分及びＹ成分のトナーの残量が平均化されやすくなる。Ｃ成分が最も少ない場合には、二次有彩色量算出部２８は、Ｒ成分を追加する。
【００５３】
以下、Ｒ成分を追加する場合について説明する。
【００５４】
例えば、二次有彩色量算出部２８は、下方外郭部３１では、Ｋの増加量がＲの減少量と一致する関数、即ち、Ｒ＝１００−Ｋ（１００は、Ｋ濃度の最大値）で算出される値をＲ成分の初期値として決定し、Ｒ成分の探索方向を決定する。
【００５５】
Ｒ成分の探索方向は、入力した画像記録信号（ＣＭＹＫ）の墨量の値（Ｋ）と予めきめられた基準墨量（Ｋａ）で決定される。例えば、Ｋ＞Ｋａの場合、二次有彩色量算出部２８は、Ｒが一様に増加する方向で、Ｒの最適量を探索する。Ｋ＜＝Ｋａの場合、二次有彩色量算出部２８は、Ｒが一様に減少する方向で、Ｒの最適量を探索する。尚、Ｒの最適量は、Ｙ成分やＭ成分の使用量が最大値のときのＲの値又はＹ成分やＭ成分の使用量が最小値のときのＲの値のいずれかである。
【００５６】
二次有彩色量算出部２８は、上方外郭部３２及び墨無し領域３４では、入力した画像記録信号（ＣＭＹＫ）のＹ成分の値とＭ成分の値とを比較し、小さい成分の値をＲ成分の初期値として決定し、Ｒ成分の探索方向を決定する。
【００５７】
二次有彩色量算出部２８は、グレイ軸３３では、入力した画像記録信号（ＣＭＹＫ）の最大のＣ成分と最小のＣ成分との差分をＲ成分の初期値として決定し、Ｒ成分の探索方向を決定する。
【００５８】
二次有彩色量算出部２８は、墨あり領域３５では、入力した画像記録信号（ＣＭＹＫ）の墨量の値（Ｋ）とＹ成分の値及びＭ成分の値とを比較し、Ｋ＞Ｙ且つＭならば、Ｒ＝１００−Ｋで算出される値をＲ成分の初期値として決定し、Ｒ成分の探索の方向を決定する。一方、Ｋ≦Ｙ且つＭならば、Ｙ成分の値とＭ成分の値のうち小さい成分の値をＲ成分の初期値として決定し、Ｒ成分の探索方向を決定する。
【００５９】
以下、Ｇ成分を追加する場合について説明する。
【００６０】
例えば、二次有彩色量算出部２８は、下方外郭部３１では、Ｇ＝１００−Ｋ（１００は、Ｋ濃度の最大値）で算出される値をＧ成分の初期値として決定し、Ｇ成分の探索方向を決定する。
【００６１】
Ｇ成分の探索方向は、入力した画像記録信号（ＣＭＹＫ）の墨量の値（Ｋ）と予めきめられた基準墨量（Ｋａ）で決定される。例えば、Ｋ＞Ｋａの場合、二次有彩色量算出部２８は、Ｇが一様に増加する方向で、Ｇの最適量を探索する。Ｋ＜＝Ｋａの場合、二次有彩色量算出部２８は、Ｇが一様に減少する方向で、Ｇの最適量を探索する。尚、Ｇの最適量は、Ｃ成分やＹ成分の使用量が最大値のときのＧの値又はＣ成分やＹ成分の使用量が最小値のときのＧの値のいずれかである。
【００６２】
二次有彩色量算出部２８は、上方外郭部３２及び墨無し領域３４では、入力した画像記録信号（ＣＭＹＫ）のＣ成分の値とＹ成分の値とを比較し、小さい成分の値をＧ成分の初期値として決定し、Ｇ成分の探索方向を決定する。
【００６３】
二次有彩色量算出部２８は、グレイ軸３３では、入力した画像記録信号（ＣＭＹＫ）の最大のＭ成分と最小のＭ成分との差分をＧ成分の初期値として決定し、Ｇ成分の探索方向を決定する。
【００６４】
二次有彩色量算出部２８は、墨あり領域３５では、入力した画像記録信号（ＣＭＹＫ）の墨量の値（Ｋ）とＣ成分の値及びＹ成分の値とを比較し、Ｋ＞Ｃ且つＹならば、Ｇ＝１００−Ｋで算出される値をＧ成分の初期値として決定し、Ｇ成分の探索方向を決定する。一方、Ｋ≦Ｃ且つＹならば、Ｃ成分の値とＹ成分の値のうち小さい成分の値をＧ成分の初期値として決定し、Ｇ成分の探索方向を決定する。
【００６５】
以下、Ｂ成分を追加する場合について説明する。
【００６６】
例えば、二次有彩色量算出部２８は、下方外郭部３１では、Ｂ＝１００−Ｋ（１００は、Ｋ濃度の最大値）で算出される値をＢ成分の初期値として決定し、Ｂ成分の探索方向を決定する。
【００６７】
Ｂ成分の探索方向は、入力した画像記録信号（ＣＭＹＫ）の墨量の値（Ｋ）と予めきめられた基準墨量（Ｋａ）で決定される。例えば、Ｋ＞Ｋａの場合、二次有彩色量算出部２８は、Ｂが一様に増加する方向で、Ｂの最適量を探索する。Ｋ＜＝Ｋａの場合、二次有彩色量算出部２８は、Ｂが一様に減少する方向で、Ｂの最適量を探索する。尚、Ｂの最適量は、Ｃ成分やＭ成分の使用量が最大値のときのＢの値又はＣ成分やＭ成分の使用量が最小値のときのＢの値のいずれかである。
【００６８】
二次有彩色量算出部２８は、上方外郭部３２及び墨無し領域３４では、入力した画像記録信号（ＣＭＹＫ）のＣ成分の値とＭ成分の値とを比較し、小さい成分の値をＢ成分の初期値として決定し、Ｂ成分の探索方向を決定する。
【００６９】
二次有彩色量算出部２８は、グレイ軸３３では、入力した画像記録信号（ＣＭＹＫ）の最大のＹ成分と最小のＹ成分との差分をＢ成分の初期値として決定し、Ｂ成分の探索方向を決定する。
【００７０】
二次有彩色量算出部２８は、墨あり領域３５では、入力した画像記録信号（ＣＭＹＫ）の墨量の値（Ｋ）とＣ成分の値及びＭ成分の値とを比較し、Ｋ＞Ｃ且つＭならば、Ｂ＝１００−Ｋで算出される値をＢ成分の初期値として決定し、Ｂ成分の探索方向を決定する。一方、Ｋ≦Ｃ且つＭならば、Ｃ成分の値とＭ成分の値のうち小さい成分の値をＢ成分の初期値として決定し、Ｂ成分の探索方向を決定する。
【００７１】
ここでは、二次有彩色量算出部２８は、Ｃ成分、Ｍ成分及びＹ成分のうち最も少ない色成分の補色の位置にある二次有彩色を追加する例を説明したが、二次有彩色量算出部２８は、二次有彩色ＲＧＢの全てを追加してもよい。例えば、追加すべき二次有彩色の初期値は、適宜ユーザが決めればよい。追加すべき二次有彩色の初期値をＲ＞Ｇ＞Ｂの関係を維持するように決定してもよい。
【００７２】
出力色算出部２９は、入力した画像記録信号（ＣＭＹＫ）の墨量の値（Ｋ）と、第１色変換条件作成部２１で変換されたＬ*ａ*ｂ*の値と、二次有彩色量算出部２８で算出された二次有彩色の初期値（ＲＧＢ）を使って、入力した画像記録信号（ＣＭＹＫ）を再現可能な画像記録信号（ＣＭＹＫＲＧＢ）の値を探索する。出力色算出部２９によって探索された値（ＣＭＹ）が出力機器（画像出力装置４）で出力できない値である場合には、二次有彩色量算出部２８が、決定された探索方向に従って、二次有彩色の値を増減し、再度、出力色算出部２９が、墨量の値（Ｋ）とＬ*ａ*ｂ*の値と増減された二次有彩色の値（ＲＧＢ）を使って、入力した画像記録信号（ＣＭＹＫ）を再現可能な画像記録信号（ＣＭＹＫＲＧＢ）の値を探索する。この処理は繰り返し実行される。出力色算出部２９によって探索された値（ＣＭＹ）が出力機器で出力できる値である場合には、出力色算出部２９は、入力した画像記録信号（ＣＭＹＫ）に対応する出力すべき画像記録信号（ＣＭＹＫＲＧＢ）を規定するルックアップテーブル又はＩＣＣプロファイルを作成する。
【００７３】
具体的には、出力色算出部２９は、入力した画像記録信号（ＣＭＹＫ）の墨量の値（Ｋ）と、第１色変換条件作成部２１で変換されたＬ*ａ*ｂ*の値と、二次有彩色量算出部２８で算出された二次有彩色の初期値（ＲＧＢ）をニューラルネットワークの関数に代入して、出力すべき画像記録信号のＣＭＹの値を算出する。
【００７４】
例えば、ニューラルネットワークの関数は、下記（５）式で表される。
（Ｌ*，ａ*，ｂ*）＝Ｆ（Ｃ，Ｍ，Ｙ，Ｋ，Ｒ，Ｇ，Ｂ）    （５）
（５）式をＣＭＹの値を求める式に書き直すと、下記（６）式で表される。
（Ｃ，Ｍ，Ｙ）＝Ｆ∧-1（Ｌ*，ａ*，ｂ*，Ｋ，Ｒ，Ｇ，Ｂ）    （６）
（６）式によって、出力色算出部２９は、出力すべき画像記録信号のＣＭＹの値を算出する。尚、出力色算出部２９は、回帰分析の関数を用いて出力すべき画像記録信号のＣＭＹの値を算出してもよい。
【００７５】
図５は、ルックアップテーブル又はＩＣＣプロファイルを作成する処理を示すフローチャートである。前提として、色域外郭算出部２４が、予め、機器独立の色空間を示す色信号（例えばＬ* ａ* ｂ* 色信号）の外郭を算出しているものとする。
【００７６】
まず、墨量算出部２６が、例えば上記（１）式〜（４）式のいずれかを用いて入力機器に依存する画像記録信号から出力可能なＬ*ａ*ｂ*色信号を再現する墨量（Ｋ）を算出する。そして、出力色算出部２９が、算出された墨量（Ｋ）と出力可能なＬ*ａ*ｂ*の値を上記式（６）に代入し、仮のＣＭＹ値を算出する（ステップＳ１１）。
【００７７】
次に、領域判定部２７は、色域外郭算出部２４で算出されたＬ*ａ*ｂ*色信号の色域を墨量算出部２６で算出された墨量と仮のＣＭＹ値に基づいて５つの領域に分割する（ステップＳ１２）。上述したように、Ｌ*ａ*ｂ*色信号の色域は、墨量及び仮のＣＭＹ値の有無に基づいて、図４に示すように、下方外郭部３１（図４の一点鎖線）、上方外郭部３２（図４の点線）、グレイ軸３３（図４の太線）、墨無し領域３４、及び墨あり領域３５の５つの領域に分割される。
【００７８】
次に、二次有彩色量算出部２８が、各領域に応じて、二次有彩色の初期値と二次有彩色の増加又は減少の探索方向を決定する（ステップＳ１３）。二次有彩色量算出部２８は、Ｃ成分、Ｍ成分及びＹ成分の量に基づいて二次有彩色ＲＧＢのうちの追加する色を決定する。例えば、二次有彩色量算出部２８は、Ｃ成分、Ｍ成分及びＹ成分のうち最も少ない色成分の補色の位置にある二次有彩色を追加する。探索方向は、入力した画像記録信号（ＣＭＹＫ）の墨量の値（Ｋ）と予めきめられた基準墨量（Ｋａ）で決定される。例えば、Ｋ＞Ｋａの場合、二次有彩色量算出部２８は、二次有彩色が一様に増加する方向で、二次有彩色の最適量を探索する。Ｋ＜＝Ｋａの場合、二次有彩色量算出部２８は、二次有彩色が一様に減少する方向で、二次有彩色の最適量を探索する。例えば、二次有彩色Ｒの最適量は、Ｙ成分やＭ成分の使用量が最大値のときのＲの値又はＹ成分やＭ成分の使用量が最小値のときのＲの値のいずれかである。
【００７９】
ところで、上述したように、二次有彩色量算出部２８は、下方外郭部３１及び墨あり領域３５では、Ｒ＝１００−Ｋ（１００は、Ｋ濃度の最大値）で算出される値をＲ成分の初期値として決定している。この場合、図６（Ａ）に示すように、Ｋが１００付近の値をとる場合、２次有彩色Ｒが極端に減少するので、Ｌ*ａ*ｂ*色信号の低明度及び低彩度の色域が減少して、色の再現性が悪化する。尚、図６（Ａ）は、Ｋの値とＲの初期値との関係を示す図であり、図６（Ｂ）、図６（Ｃ）及び図６（Ｄ）は、Ｋの値とＲの値との関係を示す図である。
【００８０】
本実施の形態では、図６（Ｂ）に示すように、二次有彩色量算出部２８は、下方外郭部３１及び墨あり領域３５では、Ｒmax＊二次有彩色入力率でＲの最適量を算出する。二次有彩色入力率は、墨量（Ｋ）が最大値（K max）の半分以上である場合に、墨量（Ｋ）の減少に応じて０より大きく０．５以下の範囲で一定に増加する値であり、墨量（Ｋ）が最大値（K max）の半分未満である場合に、墨量（Ｋ）の減少に応じて０．５より大きく１以下の範囲で一定に増加する値である。このように、二次有彩色量算出部２８は、下方外郭部３１及び墨あり領域３５では、墨量（Ｋ）が増加するとＲが減少する関数で、且つ墨量（Ｋ）が最大値（K max）の半分以上である場合のＫの減少量に対するＲの増加量の割合が、墨量（Ｋ）が最大値（K max）の半分未満である場合のＫの減少量に対するＲの増加量の割合よりも小さく設定されている関数に従って、Ｒの最適量を算出する。
【００８１】
または、図６（Ｃ）に示すように、二次有彩色量算出部２８は、下方外郭部３１及び墨あり領域３５では、墨量（Ｋ）が最大値（K max）の半分以上である場合に、Ｋの１減少に対して０より大きく１未満でＲを増加する関数Ｆ１でＲの最適量を算出し、墨量（Ｋ）が最大値（K max）の半分未満である場合に、Ｋの１減少に対して１だけＲを増加する関数Ｆ２でＲの最適量を算出してもよい。図６（Ｃ）では、Ｋの１減少に対して０より大きく１未満でＲを増加する関数Ｆ１は、例えば、Ｋの１減少に対してＲを０．５増加させる関数であり、Ｒの最適量の初期値は、Ｒの最大値に０．２５を乗算した値である。このように、二次有彩色量算出部２８は、下方外郭部３１及び墨あり領域３５では、墨量（Ｋ）が増加するとＲが減少する関数で、且つ墨量（Ｋ）が最大値（K max）の半分以上である場合のＫの減少量に対するＲの増加量の割合が、墨量（Ｋ）が最大値（K max）の半分未満である場合のＫの減少量に対するＲの増加量の割合よりも小さく設定されている関数に従って、Ｒの最適量を算出する。
また、上記関数では、墨量（Ｋ）が最大値（K max）の半分以上である場合に、、Rは0以上墨量の減少量以下で増加させてもよく、墨量（Ｋ）が最大値（K max）の半分未満である場合に、Ｋの減少量に比例してRの値を増加させてもよい。
【００８２】
図６（Ｂ）又は図６（Ｃ）では、Ｋが１００付近の値をとる場合、２次有彩色Ｒが極端に減少しないので、図６（Ａ）に示すＫの増加量がＲの減少量と一致する場合のＬ*ａ*ｂ*色信号の色域と比べて、Ｌ*ａ*ｂ*色信号の低明度及び低彩度の色域が増加して、色の再現性が向上する。
【００８３】
なお、上記した２次有彩色の求め方とは異なる例として、図６（Ｄ）に示すように、二次有彩色の最適量を算出するための関数（例えば、図６（Ｄ）の関数Ｆ１）が、非線形の関数である場合は、二次有彩色量算出部２８は、墨量が関数Ｆ１及びＦ２の交点の値以上である場合の墨の減少量に対する二次有彩色の増加量の割合が、墨量が関数Ｆ１及びＦ２の交点の値未満である場合の墨の減少量に対する二次有彩色の増加量の割合よりも小さく設定されている関数に従って、前記算出された墨の値に対応する二次有彩色の値を決定してもよい。
【００８４】
また、二次有彩色の値を求める他の例として、予め墨量算出部２６がKの値を仮計算し、出力色算出部２９がＣＭＹの値を仮計算し、二次有彩色量算出部２８がＲの値を仮計算する。その後、二次有彩色量算出部２８は、二次有彩色を決定するときに、トナーの総量制限値から仮計算されたＣＭＹ＋Ｋの値を引いた値を所定値とし、墨量が所定値以上である場合の墨の減少量に対する二次有彩色の増加量の割合が、墨量が所定値未満である場合の墨の減少量に対する二次有彩色の増加量の割合よりも小さく設定されている関数に従って、二次有彩色の値を決定してもよい。
【００８５】
図５に戻り、出力色算出部２９は、入力した画像記録信号（ＣＭＹＫ）の墨量の値（Ｋ）と、第１色変換条件作成部２１で変換されたＬ*ａ*ｂ*の値と、二次有彩色量算出部２８で算出された二次有彩色の値（ＲＧＢ）を使って、入力した画像記録信号（ＣＭＹＫ）を再現可能な画像記録信号（ＣＭＹＫＲＧＢ）の値を探索する（ステップＳ１４）。
【００８６】
出力色算出部２９は、探索された値（ＣＭＹ）が出力機器（画像出力装置４）で出力できる値であるか否かを判別する（ステップＳ１５）。
【００８７】
出力色算出部２９によって探索された値（ＣＭＹ）が出力機器（画像出力装置４）で出力できない値である場合には（ステップＳ１５でＮＯ）、二次有彩色量算出部２８が、決定された探索方向に従って、二次有彩色の値を増減する（ステップＳ１６）。このとき、下方外郭部３１及び墨あり領域３５では、二次有彩色の値を決定するために、例えば、上述した図６（Ｂ）又は図６（Ｃ）のＲとＫの関数が使用される。そして、ステップＳ１４に戻り、再度、出力色算出部２９が、墨量の値（Ｋ）とＬ*ａ*ｂ*の値と増減された二次有彩色の値（ＲＧＢ）を使って、入力した画像記録信号（ＣＭＹＫ）を再現可能な画像記録信号（ＣＭＹＫＲＧＢ）の値を探索する。この処理は繰り返し実行される。
【００８８】
出力色算出部２９によって探索された値（ＣＭＹ）が出力機器で出力できる値である場合には（ステップＳ１５でＹＥＳ）、出力色算出部２９は、入力した画像記録信号（ＣＭＹＫ）に対応する出力すべき画像記録信号（ＣＭＹＫＲＧＢ）を規定するルックアップテーブル又はＩＣＣプロファイルを作成する（ステップＳ１７）。
【００８９】
出力色算出部２９は作成したルックアップテーブルを色変換プロファイル記憶部１７に保存する又は作成したＩＣＣプロファイルを不図示のプリントサーバに保存する（ステップＳ１８）。尚、作成したＩＣＣプロファイルを不図示のプリントサーバに保存する場合には、画像処理装置３は色変換処理を実行する前に、ＩＣＣプロファイルを当該プリントサーバから読み出し、色変換プロファイル記憶部１７に保存する。
【００９０】
以上説明したように、本実施の形態によれば、二次有彩色量算出部２８は、下方外郭部３１及び墨あり領域３５では、墨量（Ｋ）が増加するとＲが減少する関数で、且つ墨量（Ｋ）が最大値（K max）の半分以上である場合のＫの減少量に対するＲの増加量の割合が、墨量（Ｋ）が最大値（K max）の半分未満である場合のＫの減少量に対するＲの増加量の割合よりも小さく設定されている関数に従って、Ｒの最適量を算出する。そして、出力色算出部２９は、入力した画像記録信号（ＣＭＹＫ）の墨量の値（Ｋ）と、第１色変換条件作成部２１で変換されたＬ*ａ*ｂ*の値と、二次有彩色量算出部２８で算出された二次有彩色の値（ＲＧＢ）を使って、入力した画像記録信号（ＣＭＹＫ）に対応する画像記録信号（ＣＭＹＫＲＧＢ）の値を算出する。従って、Ｋの増加量がＲの減少量と一致する場合のＬ*ａ*ｂ*色信号の色域と比べて、Ｌ*ａ*ｂ*色信号の低明度及び低彩度の色域を増加し、色の再現性が向上する。
【００９１】
画像処理装置３の機能を実現するためのソフトウェアのプログラムが記録されている記録媒体を、画像処理装置３に供給し、画像処理装置３のＣＰＵが記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。また、画像処理装置３のＣＰＵが、画像処理装置１の機能を実現するためのソフトウェアのプログラムを実行することによっても、上記第１及び第２の実施の形態と同様の効果を奏する。
【００９２】
尚、本発明は、上述した実施の形態に限定されるものではなく、その要旨を逸脱しない範囲内で種々変形して実施することが可能である。
【符号の説明】
【００９３】
３    画像処理装置
１６  色変換プロファイル作成部
２１  第１色変換条件作成部
２２  色域変換条件作成部
２３  第２色変換条件作成部
２４  色域外郭算出部
２５  色域マッピング部
２６  墨量算出部
２７  領域判定部
２８  二次有彩色量算出部
２９  出力色算出部
【図１】
2013066019.tif 000003
【図２】
2013066019.tif 000004
【図３】
2013066019.tif 000005
【図４】
2013066019.tif 000006
【図５】
2013066019.tif 000007
【図６】
2013066019.tif 000008